(57)【要約】【課題】  糸に曲がりクセや折れが生じない糸巻きスプール、さらには、釣針を安全に保持することもできる糸巻きスプールを提供する。【解決手段】  考案のスプールは、糸巻きコア部１の両側にフランジ２・３を有し、コア部１に巻き付けられた糸の一部をそれらフランジ２・３で挟んで保持するものである。一方のフランジ２は樹脂製で、糸を保持すべく他方のフランジ３に接触する閉姿勢と、当該他方のフランジ３から離れた開姿勢との間で形状を切り換えることができる。他方のフランジ３は、少なくとも上記一方のフランジ２と接触する部分にスポンジ等の軟質弾性部材４を有するものとした。【選択図】    図２
0003152685.tif 000002
【実用新案登録請求の範囲】
【請求項１】
糸巻きコア部の両側にフランジを有し、コア部に巻き付けられた糸の一部をそれらフランジで挟んで保持する糸巻きスプールであって、
一方のフランジが、糸を保持すべく他方のフランジに接触する閉姿勢と、当該他方のフランジから離れた開姿勢との間で形状を切り換えられる樹脂製のものであり、
他方のフランジが、少なくとも上記一方のフランジと接触する部分にスポンジ等の軟質弾性部材を有するものであることを特徴とする糸巻きスプール。
【請求項２】
上記一方のフランジが、上記閉姿勢にあるとき、その外周縁以外の部分で上記他方のフランジにおける軟質弾性部材に接触することを特徴とする請求項１に記載の糸巻きスプール。
【請求項３】
上記他方のフランジの外側位置に、軟質弾性部材の外側表面を覆うシートが設けられていることを特徴とする請求項１または２に記載の糸巻きスプール。
【請求項４】
上記のシートは、上記他方のフランジの軟質弾性部材に押し当てられていることを特徴とする請求項３に記載の糸巻きスプール。
【請求項５】
上記の糸巻きコア部およびその両側のフランジが中心部分を軸状の締結部材で連結されていて、糸巻きコア部および両側のフランジとその締結部材との間が相対回転可能であることを特徴とする請求項１〜４のいずれかに記載の糸巻きスプール。
【考案の詳細な説明】
【技術分野】
【０００１】
本考案は、釣糸等を携帯しまたは保管するために使用する糸巻きスプールに関するものである。
【背景技術】
【０００２】
釣糸や仕掛け（釣針等の付いた釣糸）を保持する糸巻きスプールは、たとえば下記の特許文献１・２に記載されている。いずれのスプールも、糸巻きコア部の両側に樹脂製のフランジ（つば）を有するものである。コア部に巻き付けられた釣糸の一部をそれらフランジで挟み付けることにより、緩まないように釣糸を保持することができる。
特許文献１に記載のスプールは、コア部の両側にあるフランジが同じ大きさの樹脂板であり、樹脂板の弾性に基づいてそれらフランジの外周縁同士が接触し合うようになっている。つまり、２枚のフランジの外周縁同士で挟み付けることによって釣糸を保持する。特許文献２のスプールも、やはり同じ大きさの樹脂板等でできた２枚のフランジを有するものだが、糸を挟み付けるのはフランジの外周縁ではなく、それよりも多少内周寄りに設けた凸部（環状膨出部）同士である。
【先行技術文献】
【特許文献】
【０００３】
【特許文献１】特開２００６−２２３１２７号公報
【特許文献２】実公昭２９−１０９３０号公報
【考案の概要】
【考案が解決しようとする課題】
【０００４】
特許文献１・２に記載の糸巻きスプールでは、それに巻き付けた釣糸等に曲がりクセが付いたり折れが生じたりする恐れがある。たとえば、特許文献１のスプールでは、フランジの外周縁同士という面積の限られた部分で釣糸を挟み付けて保持するため、釣糸のうちせまい範囲に圧力が集中し、結果としてそこに曲がりクセ等が生じやすい。特許文献２に記載のスプールでは、２枚のフランジのうち環状膨出部により比較的広い面積を介して糸を挟むことから、曲がりクセ等の発生はかなり抑制される。しかし、その特許文献２のスプールでも、糸の端部付近がフランジの外周縁で鋭角的に屈曲された状態で保持された場合、その部分に曲がりクセ等が付いてしまう。
また、特許文献１・２のいずれのスプールにおいても、糸とフランジとの接触面積が十分でないことから、フランジ間に挟んだ糸を強く保持することができず、したがって所定の長さだけ巻き出した状態で糸をしっかりと固定することができない。
そのほか、上記いずれのスプールも、釣針を係止または保持する手段を有していないので、釣糸（ハリス）のみを巻いて保持するには良いが、釣針が取り付けられた仕掛け糸等を安全に保持することができないという課題がある。
【０００５】
本考案は、上記の課題を解決するためにしたものであり、糸に曲がりクセや折れが生じない糸巻きスプール、さらには、釣針を安全に保持することもできる糸巻きスプールを提供することを目的としている。
【課題を解決するための手段】
【０００６】
請求項に係る考案の糸巻きスプールは、糸巻きコア部の両側にフランジ（以下に示す一方のフランジおよび他方のフランジ）を有し、コア部に巻き付けられた糸の一部をそれらフランジで挟んで保持するもので、
・  一方のフランジが、糸を保持すべく他方のフランジに接触する閉姿勢と、当該他方のフランジから離れた開姿勢との間で形状を切り換えられる樹脂製のものであり、
・  他方のフランジが、少なくとも上記一方のフランジと接触する部分にスポンジ等の軟質弾性部材を有している――ことを特徴とする。
この糸巻きスプールでは、まず、特許文献１・２のスプールと同様、コア部に巻いた糸の一部を両側のフランジで挟み付けて保持することができるので、釣糸等が緩んでばらばらになることが防止される。また、一方のフランジを開姿勢にして二つのフランジ間を開くことができるので、長い糸であってもコア部に対して容易に巻付け・巻出しを行うことができる。
このスプールの場合、とくに、巻いて保持する糸に曲がりクセや折れが生じない、という特徴がある。上記他方のフランジがスポンジ等の軟質弾性部材（通常の樹脂よりも軟らかく、見かけの容積を容易に変化させ得るもの）を有しており、同部材が上記一方のフランジと接触することにより糸を挟んで保持するからである。同部材は軟らかくて容易に変形し、したがって広い範囲（広い面積）にわたり均一の圧力でソフトに糸を挟むことになるため、糸に曲がりクセ等が生じにくいのである。
糸は、広い面積で軟質弾性部材と接触して挟まれるため、所定の巻き出し長さでしっかりと止められ保持される。したがって、このスプールに釣糸を巻いて保持させるときは、釣竿へのその釣糸の取り付けが容易になる。
【０００７】
上記の糸巻きスプールは、上記一方のフランジが、上記閉姿勢にあるとき、その外周縁以外の部分（外周縁から少し内周寄りの面）で上記他方のフランジにおける軟質弾性部材に接触するようになっているとさらに好ましい。
このようになっていると、糸のうちフランジ間で保持される箇所は、上記一方のフランジにおける外周縁以外の部分と、上記他方のフランジにおける軟質弾性部材とで挟み付けられる。軟質弾性部材が上記のように軟らかくて変形容易であることに加え、上記一方のフランジも外周縁以外の面の部分で糸と接触することから、糸を保持するための圧力が一層広い範囲に作用する結果、糸の曲がりクセ等はさらに生じにくくなる。
【０００８】
本考案の糸巻きスプールは、上記他方のフランジの外側（糸巻きコア部を内側とし、それと反対の側）位置に、軟質弾性部材の外側表面（の一部または全部）を覆うシート（薄板やフィルムを含む）が設けられていると好ましい。
このような構成であれば、スプールに釣糸を巻くとき、釣針を、シートの内側の軟質弾性部材に刺したうえそのシートで覆うことにより、安全かつ確実に止めることができる。つまり、針先が、軟質弾性部材に刺されて固定されるとともに、シートに覆われて露出しないようになるので、針先が保護されるとともに、ポケットの中などに糸巻きスプールを入れて携帯するのに好都合である。
上記のシートは、軟質弾性部材を有する上記他方のフランジの外側にあるため、軟質弾性部材に針先を刺すと、その釣針とつながっている釣糸は、軟質弾性部材の外周縁を経由し、上記一方のフランジの外周縁には接触しない状態に保持される（図３・図５参照）。そのため、上記構成のスプールによると、釣糸は、一方のフランジの外周縁において鋭角的な屈曲状態で保持されることがなく、したがってそれによる曲がりクセ等の発生も効果的に回避されることになる。
【０００９】
上記の糸巻きスプールにおいては、上記のシートが、上記他方のフランジの軟質弾性部材に押し当てられているのがよい。
上記のシートが、軟質弾性部材に単に接触しているのみではなく、このように押し当てられていると、軟質弾性部材に針先を刺した釣針が、シートと軟質弾性部材との間に押し挟まれる。その結果、軟質弾性部材から強めに摩擦を受けるため、釣針が軟質弾性部材からとくに外れ難くなるというメリットがある。なお、上記のシートが上記他方のフランジの軟質弾性部材に押し当てられるようにするには、たとえば、コア部の中心に通した締結部材等によって、両者を隙間のないように締め付けるとよい。材質や厚さを選定してシートに適切な剛性（いわゆるコシ）を持たせると、シートが軟質弾性部材を支えてその変形を抑制する作用をも発揮する。
【００１０】
上記の糸巻きコア部およびその両側のフランジが中心部分を軸状の締結部材で連結されていて、糸巻きコア部および両側のフランジとその締結部材との間が相対回転可能であるなら、さらに好ましい。
その場合、中心部分にある締結部材を指で保持（たとえば締結部材の両端部を指ではさむ）した状態で糸を引き出せば、締結部材の回りで糸巻きコア部や両側のフランジが回転するため、糸が長い場合であってもそれをスムーズに巻き出すことができる。
【考案の効果】
【００１１】
本考案の糸巻きスプールでは、軟質弾性部材が一方のフランジと接触することによって広い範囲でソフトに糸を挟むため、糸に曲がりクセや折れが生じにくい。上記一方のフランジが、その外周縁以外の部分で軟質弾性部材に接触するようにすれば、さらに効果的である。
【００１２】
他方のフランジと隣接する外側位置にシートを設け、それで軟質弾性部材を覆うようにすると、釣針付きの釣糸をスプールに巻くとき、軟質弾性部材に釣針を掛け止めるとともにシートにてその釣針をカバーすることができる。その場合、針先を保護するうえでも、糸巻きスプールをポケットの中などに入れて携帯するうえでも、また糸の曲がりクセ等を回避するうえでも有利である。これに関し、シートが軟質弾性部材に押し当てられていると、釣針がとくに外れ難くなり好ましい。
【図面の簡単な説明】
【００１３】
【図１】考案による糸巻きスプールの正面図である。
【図２】考案による糸巻きスプールの縦断面図（図１におけるII−II断面図）である。
【図３】図２におけるIII部の拡大図である。
【図４】考案による糸巻きスプールについて、一方のフランジを開姿勢にした状態を示す縦断面図である。
【図５】考案による糸巻きスプールに釣針付きの釣糸を取り付けた状態を示す背面図である。
【考案を実施するための形態】
【００１４】
考案の実施形態を、図１〜図５に基づき説明する。なお、理解を容易とするため、各断面図において各部材の肉厚は実際とは異なる比率で表示している。
【００１５】
図１および図２に示すとおり、糸巻きスプールは、釣糸を巻きつけるコア部１が円筒状に形成されている。そしてこのコア部１の一方の端面に隣接して円形状の一方のフランジ（以下、大径フランジという）２が設けられ、コア部１の他方の端面の外側隣接位置には円形状の他方のフランジ（以下、小径フランジという）３が設けられている。コア部１と大径フランジ２および小径フランジ３は樹脂により形成されて一体に接合され、コア部１の中心部分には、キー溝を有する穴が設けられている。このコア部１の外周面１３は、釣糸を巻き付けやすいよう円筒面に形成されている。
【００１６】
小径フランジ３の外側面（大径フランジ２とは反対側）には、大径フランジ２よりは小さく小径フランジ３よりは大きな直径を有する、円形状であって中心に穴が設けられた軟質弾性部材４が固着され、小径フランジ３と一体にされている。この軟質弾性部材４はウレタン製のスポンジであり、コア部１やフランジ２・３の樹脂に比べてかなり軟らかく、変形も容積変化も容易なものである。
【００１７】
軟質弾性部材４の外側面（大径フランジ２とは反対側）には、軟質弾性部材４より直径の小さい円形状の樹脂（ＰＥＴ）製シート５が取り付けられている。軟質弾性部材４とシート５とは、中心部付近で接着されているとよい。軟質弾性部材４とシート５の各外周部には、図３および図５に示すように数ｍｍ程度の深さの切込み（トムソン）Ｘが複数個所に設けられ、そこに釣糸３０の端部を挟めるようになっている。
そしてコア部１からシート５までが、中心部分の穴に通した軸状の締結具（締結部材）６で一体に組み付けられることにより、糸巻きスプールが構成されている。コア部１からシート５までの部品は、締結具６に対して相対回転することができる。
【００１８】
大径フランジ２は、図２・図４に示すように、小径フランジ３およびそれと一体にされた軟質弾性部材４に対して手指で簡単に閉姿勢または開姿勢に変形させ得る軟質の樹脂によって形成されている。大径フランジ２を閉姿勢にすれば、その大径フランジ２と、小径フランジ３（軟質弾性部材４）およびコア部１とで閉じた空間５０を形成することができ、この空間５０内に釣糸を安全に収容することができる。また、その閉姿勢では、大径フランジ２の側面と軟質弾性部材４の外周縁近傍４０とによって、図３のように釣糸の端部等を挟んで保持することができる。
【００１９】
大径フランジ２は、小径フランジ３に対して図４のように開姿勢をとることもできる。この状態で、例えば、図３に示すように、釣糸３０の端部３１を軟質弾性部材４の外周縁より若干外部に引き出して切込みＸに差し挟んだうえ、軟質弾性部材４を開状態にし、適宜な長さの釣糸をコア部１の外周面１３に巻き付けるとよい。その後、釣糸３０の先を外部に引き出した状態で大径フランジ２を閉姿勢にすれば、釣糸３０がコア部１上に収容されるとともに、その一部が、大径フランジ２の側面と軟質弾性部材４の外周縁近傍４０とで広い範囲にわたり柔らかく挟持される。このように挟持された状態では、釣糸３０に曲がりクセが付いたり折れが生じたりすることがないうえ、釣糸３０の固定（緩み止め）も確実である。
【００２０】
釣針３２が結び付けられた釣糸３０をスプールに収容する場合は、たとえば図５のようにする。まず、シート５の一部をめくって軟質弾性部材４の側面を露出させ、釣針３２の針先３３を軟質弾性部材４の一部に刺し入れたうえ、シート５を元通りに軟質弾性部材４に被せる。これにより、当該針先３３は、軟質弾性部材４に掛け止められるとともにシート５と軟質弾性部材４とで挟み付けられて保持される。つぎに、大径フランジ２を開姿勢にした状態で、釣針３２のチモト３４に連結された釣糸３０を、軟質弾性部材４の外周縁を乗り越えるようにコア部１に導いたうえその外周面１３に巻き付ける。巻き付けた釣糸３０の端部３１は、軟質弾性部材４とシート５の切込みＸに差し挟む。この状態で大径フランジ２を軟質弾性部材４に当接するよう閉姿勢にすると、釣糸３０のうち釣針３２に近い部分は大径フランジ２と軟質弾性部材４の外周縁近傍４０とで挟持され、他方の端部は切込みＸにて止められる。こうして、釣針３２付きの釣糸３０が安定的に保持されることとなる。釣針３２のある側とは反対側の端部３１を先に切込みＸに差し入れて保持させ、釣糸３０の巻き付け向きを上記と逆にする（最後に釣針３２を軟質弾性部材４に刺してシート５でカバーする）のもよい。
上のようにシート５で釣針３２を覆うと、針先３３が表に出ないため、糸巻きスプールをポケット等に入れて携帯してもケガなどの心配がない。
【００２１】
なお、図５では、スプールに１本の仕掛けを取り付けた状態を示しているが、２〜４本の仕掛けを同時に取り付けることや、釣糸３０に複数本の釣針を取付けた仕掛けを取り付けることも可能である。複数本の仕掛け（鈎）をセットするときは、ハリスの端部３１を切込みＸにセットしたうえ、シート５上のその切込みＸの付近に、取り出し順序を示す番号（１、２、３‥‥）のシール等を貼っておくと便利である。最後にセットする仕掛けの番号を１にするとよい。
そのほか上記の例とは別に、シート５の何カ所かに小さな穴（貫通孔）をあけておき、釣針３２の針先３３をその穴に通して内側の軟質弾性部材４に掛け止めるようにすることも可能である。
【産業上の利用可能性】
【００２２】
考案の糸巻きスプールは、糸（釣糸またはその他の糸）を巻き取るだけでなく、釣糸に釣針等を取り付けた仕掛けを巻き取り、それらを携帯または保管する手段として広く利用することができる。
【符号の説明】
【００２３】
１  コア部
２  一方のフランジ（大径フランジ）
３  他方のフランジ（小径フランジ）
４  軟質弾性部材
５  シート
６  締結具
７  穴
３０  釣糸
３２  釣針
３３  針先
【図１】
0003152685.tif 000003
【図２】
0003152685.tif 000004
【図３】
0003152685.tif 000005
【図４】
0003152685.tif 000006
【図５】
0003152685.tif 000007